(57)【要約】【課題】再生制御の実行中にキャニスタに吸着されている燃料蒸気の量が過剰に多くなることを抑えることのできる内燃機関の制御装置を提供する。【解決手段】内燃機関１０は、排気通路１５に設けられて排気中の粒子状物質を捕集するフィルタ１８と、キャニスタ９２に吸着した燃料蒸気を吸気通路１３に導入するパージ処理を実施するための燃料蒸気処理機構９０とを備える。制御装置２００は、フィルタ１８を再生する再生制御の実行中に、キャニスタ９２に吸着されている燃料蒸気の量が規定量以上の状態であると判定される場合には、再生制御の実行を中断してパージ処理を実行する。【選択図】図１
2020128704.tif 000002
【特許請求の範囲】
【請求項１】
排気通路に設けられて排気中の粒子状物質を捕集するフィルタと、キャニスタに吸着した燃料蒸気を吸気通路に導入するパージ処理を実施するための燃料蒸気処理機構と、を備える内燃機関に適用される制御装置であって、
前記フィルタを再生する再生制御の実行中に、前記キャニスタに吸着されている燃料蒸気の量が規定量以上の状態であると判定される場合には、前記再生制御の実行を中断して前記パージ処理を実行する
内燃機関の制御装置。
【発明の詳細な説明】
【技術分野】
【０００１】
本発明は、内燃機関の制御装置に関する。
【背景技術】
【０００２】
燃料タンクで発生した燃料蒸気をキャニスタに吸着するとともに、その吸着した燃料蒸気を吸気通路に導入するパージ処理を実施するための燃料蒸気処理機構を備える内燃機関が知られている（例えば特許文献１等）。
【先行技術文献】
【特許文献】
【０００３】
【特許文献１】特開２０１６−８９７６０号公報
【発明の概要】
【発明が解決しようとする課題】
【０００４】
ところで、排気中の粒子状物質を捕集するフィルタを排気通路に備える内燃機関では、フィルタを昇温させた後、同フィルタの雰囲気を酸化雰囲気にすることにより、フィルタに堆積した粒子状物質を燃焼浄化する再生制御が実施される。
【０００５】
ここで、再生制御の実行中に上記パージ処理を実行すると、混合気に含まれる燃料量が増加して同混合気はリッチ化するために、フィルタの昇温効果が低下する場合がある。そのため、再生制御の実行中はパージ処理の実行を禁止することが好ましい。しかし、そのようにしてパージ処理の実行を禁止すると、再生制御の実行中においてキャニスタに吸着されている燃料蒸気の量が過剰に多くなるおそれがある。
【課題を解決するための手段】
【０００６】
上記課題を解決する内燃機関の制御装置は、排気通路に設けられて排気中の粒子状物質を捕集するフィルタと、キャニスタに吸着した燃料蒸気を吸気通路に導入するパージ処理を実施するための燃料蒸気処理機構と、を備える内燃機関に適用される。この制御装置は、前記フィルタを再生する再生制御の実行中に、前記キャニスタに吸着されている燃料蒸気の量が規定量以上の状態であると判定される場合には、前記再生制御の実行を中断して前記パージ処理を実行する。
【０００７】
同構成によれば、再生制御の実行中において、キャニスタに吸着されている燃料蒸気の量が規定量以上の状態であると判定される場合、再生制御の実行が中断されてパージ処理が実行される。そのため、再生制御の実行中にキャニスタに吸着されている燃料蒸気の量が過剰に多くなることを抑えることができる。
【０００８】
また、キャニスタに吸着されている燃料蒸気の量が規定量以上の状態であると判定されるまでは再生制御が実行される。そのため、キャニスタに吸着されている燃料蒸気の量が規定量以上の状態になる前に再生制御を中断する場合と比較して、再生が完了するまでに再生制御の実行が中断される回数は少なくなる。従って、フィルタの再生が完了するまでの時間を短縮することができる。
【図面の簡単な説明】
【０００９】
【図１】制御装置の一実施形態について、これが適用される内燃機関の模式図。
【図２】同実施形態の制御装置が実行する処理手順を示すフローチャート。
【図３】同実施形態の作用を示すタイミングチャート。
【発明を実施するための形態】
【００１０】
以下、内燃機関の制御装置の一実施形態について、図１〜図３を参照して説明する。
図１に示すように、内燃機関１０は複数の気筒１０ａを備えており、各気筒１０ａの吸気ポートには吸気通路１３が接続されている。吸気通路１３には、吸入空気量を調整するスロットル弁１４が設けられている。
【００１１】
各気筒１０ａの燃焼室には燃料噴射弁１１がそれぞれ配置されている。そして、各気筒１０ａの燃焼室では、吸気通路１３を通じて吸入された空気と燃料噴射弁１１から噴射された燃料との混合気が火花放電によって点火されることにより燃焼される。燃焼室での混合気の燃焼によって生じた排気は、内燃機関１０の排気ポートに接続された排気通路１５に排出される。
【００１２】
排気通路１５には三元触媒１７が設けられている。この三元触媒１７は、排気に含まれる炭化水素（ＨＣ）や一酸化炭素（ＣＯ）を酸化して、水や二酸化炭素を生成する。また、三元触媒１７は、排気に含まれている窒素酸化物（ＮＯｘ）を還元して、窒素を生成する。
【００１３】
三元触媒１７よりも下流の排気通路１５には、排気中の粒子状物質（ＰＭ）を捕集するフィルタ１８が設けられている。
また、内燃機関１０は、燃料タンク９１内で生じた燃料蒸気を吸気通路１３に導入して気筒１０ａ内で処理するための燃料蒸気処理機構９０を備えている。この燃料蒸気処理機構９０は、燃料タンク９１内で生じた燃料蒸気を吸着するキャニスタ９２、キャニスタ９２に吸着された燃料蒸気を吸気通路１３におけるスロットル弁１４よりも下流の部位に導入するパージ通路９４、パージ通路９４の途中に設けられて同パージ通路９４を流れる燃料蒸気の流量を調整するパージバルブ９３などを有している。
【００１４】
制御装置２００は、中央処理装置（ＣＰＵ）やメモリ等を備えており、メモリに記憶されたプログラムをＣＰＵが実行することにより、内燃機関１０の各種制御を実施する。
制御装置２００には、各種センサの検出信号が入力されている。そうした各種センサとして、例えば、排気通路１５において三元触媒１７よりも下流であって且つフィルタ１８よりも上流の部位には圧力センサ５０が設けられている。この圧力センサ５０は、フィルタ１８よりも上流の排気圧ＥＰ（絶対圧）と大気圧との差である差圧ΔＰを検出する。この差圧ΔＰは、排気通路１５におけるフィルタ１８の上流側の排気圧とフィルタ１８の下流側の排気圧との圧力差を示す値として利用される。排気通路１５において三元触媒１７よりも上流の部位には上流側空燃比ＡＦｆを検出する空燃比センサ５１が設けられており、排気通路１５において三元触媒１７よりも下流の部位には下流側空燃比ＡＦｒを検出する酸素センサ５２が設けられている。内燃機関１０のクランクシャフト近傍にはクランク角センサ５３が設けられており、このクランク角センサ５３の検出信号に基づいて内燃機関１０の機関回転速度ＮＥが算出される。また、内燃機関１０には、吸入空気量ＧＡを検出するエアフロメータ５４も設けられている。
【００１５】
制御装置２００は、燃料噴射弁１１の燃料噴射や、スロットル弁１４の開度を制御する。また、制御装置２００は、機関運転中においてフィルタ１８に順次堆積していく一方、後述のＰＭ燃焼制御の実行中にはフィルタ１８から順次減少していくＰＭの量であるＰＭ堆積量Ｐｓを算出する。なお、こうしたＰＭ堆積量Ｐｓは、例えば上記差圧ΔＰに基づいて算出したり、機関運転状態（例えば燃料噴射弁１１の燃料噴射量Ｑ及び吸入空気量ＧＡ及び機関回転速度ＮＥ等）に基づいて算出したりすることが可能である。
【００１６】
そして、このＰＭ堆積量Ｐｓが予め定めた再生閾値α以上になると、フィルタ１８に堆積したＰＭを燃焼除去して同フィルタ１８を再生するために、制御装置２００は、フィルタ１８の再生制御を実行する。この再生制御は、フィルタ１８を昇温させる昇温制御と、この昇温制御によって昇温されたフィルタ１８の雰囲気を酸化雰囲気にすることによりＰＭを燃焼除去するＰＭ燃焼制御とを含んでいる。
【００１７】
本実施形態では、上記昇温制御として、内燃機関１０の一部の気筒１０ａの空燃比を理論空燃比よりもリッチとするリッチ燃焼気筒とし、残りの気筒１０ａの空燃比を理論空燃比よりもリーンとするリーン燃焼気筒とするディザ制御を実行する。このディザ制御が実行されると、リッチ燃焼気筒から排出された排気中の未燃燃料成分や不完全燃焼成分と、リーン燃焼気筒から排出された排気中の酸素との反応が三元触媒１７によって促進されて、三元触媒１７が昇温される。このようにして三元触媒１７が昇温されると、三元触媒１７を通過する排気の温度が上昇し、この高温化した排気が三元触媒１７よりも排気下流に設けられたフィルタ１８に流れ込むことによりフィルタ１８は高温化する。そして、高温化したフィルタ１８の雰囲気を酸化雰囲気にするＰＭ燃焼制御、例えば機関運転中に燃料噴射弁１１の燃料噴射を停止する燃料カット処理を実行して排気通路１５に酸素を供給することにより、フィルタ１８に捕集されたＰＭは燃焼（酸化）除去される。
【００１８】
また、制御装置２００は、上記上流側空燃比ＡＦｆと目標空燃比ＡＦｔとの偏差が縮小するように上流側空燃比補正値ＦＡＦｆを算出するとともに、下流側空燃比ＡＦｒと目標空燃比ＡＦｔとの偏差が縮小するように下流側空燃比補正値ＦＡＦｒを算出する。そして、それら上流側空燃比補正値ＦＡＦｆ及び下流側空燃比補正値ＦＡＦｒを使って燃料噴射弁１１の燃料噴射量を補正する周知の空燃比フィードバック制御を実施する。
【００１９】
また、制御装置２００は、パージバルブ９３の開度制御を通じてキャニスタ９２に吸着された燃料蒸気を吸気通路１３に導入するパージ処理を実施する。
このパージ処理では、キャニスタ９２から吸気通路１３に流入するパージガスに占める燃料の質量割合を表す値であって気筒１０ａに供給されるパージガスの燃料蒸気濃度を示すベーパ濃度Ｌｐや吸気の充填効率などに基づき、目標パージ率Ｒｐが算出される。ここで、パージ率とは、キャニスタ９２から吸気通路１３に流入する流体の質量流量ＦＶを吸入空気量ＧＡで割った値（ＦＶ／ＧＡ）である。また、キャニスタ９２に吸着されている燃料蒸気の量が多くなるほど、ベーパ濃度Ｌｐは高くなる。
【００２０】
そして、パージ率が目標パージ率Ｒｐになるように、吸入空気量ＧＡに基づき、パージバルブ９３の開度指令値が算出されて、その開度指令値に応じた開度となるようにパージバルブ９３の開度が調整される。こうしたパージバルブ９３の開度調整を行うことにより、ベーパ濃度Ｌｐは適切な値となるように管理された状態で燃料蒸気が吸気通路１３に導入されて、キャニスタ９２に吸着された燃料蒸気の量は減少していく。
【００２１】
なお、目標パージ率Ｒｐが同一である場合、吸入空気量ＧＡが少ないほど、パージバルブ９３の開度が小さくなるように開度指令値が算出される。これは、吸入空気量ＧＡが少ないほど、吸気通路１３内の圧力がキャニスタ９２内の圧力よりも低くなるため、キャニスタ９２から吸気通路１３にパージガスが流動しやすいためである。
【００２２】
また、本実施形態では、目標パージ率Ｒｐが「０」よりも大きい値に設定されている状態でパージ処理が実行されているときにおいて、上流側空燃比ＡＦｆが目標空燃比ＡＦｔからずれる要因をすべてキャニスタ９２から気筒１０ａに流入した燃料蒸気によるものとみなしている。従って、パージ処理の実行中に算出される上流側空燃比補正値ＦＡＦｆにはベーパ濃度Ｌｐが反映される。そこで、制御装置２００は、パージ処理の実行中に算出される上流側空燃比補正値ＦＡＦｆに基づいてベーパ濃度Ｌｐを算出する。
【００２３】
ところで、再生制御の実行中にパージ処理を実行すると、燃料噴射制御では管理できないリッチ成分である燃料蒸気が吸気に含まれるようになる。そのため、ディザ制御の実施に際して、例えば理論空燃比よりもリッチ側で排気の空燃比が振幅するようになると排気中の酸素が減少して、フィルタ１８の昇温効果が低下するおそれがある。また、ＰＭ燃焼制御の実行中にパージ処理が実行されると、パージ処理が実行されない場合と比較してフィルタ１８の雰囲気は酸化雰囲気から還元雰囲気にずれるようになり、ＰＭの燃焼が妨げられるおそれがある。そのため、再生制御の実行中はパージ処理の実行を禁止することが好ましい。しかし、そのようにしてパージ処理の実行を禁止すると、再生制御の実行中においてキャニスタ９２に吸着されている燃料蒸気の量が過剰に多くなるおそれがある。また、パージ処理の実行を禁止すると、ベーパ濃度Ｌｐの算出ができなくなるため、ベーパ濃度の管理が困難となり、これによってもキャニスタ９２に吸着されている燃料蒸気の量が過剰に多くなるおそれがある。
【００２４】
こうした不都合の発生を抑えるために、制御装置２００は、図２に示す一連の処理を機関運転中に実行する。なお、図２に示す一連の処理は、制御装置２００のメモリに記憶されたプログラムをＣＰＵが実行することにより実現される。また、以下では、先頭に「Ｓ」が付与された数字によって、ステップ番号を表現する。
【００２５】
本処理を開始すると、制御装置２００は、フィルタ１８の再生要求があるか否かを判定する（Ｓ１００）。このＳ１００では、ＰＭ堆積量Ｐｓが上記再生閾値α以上である場合に、制御装置２００は、フィルタ１８の再生要求があると判定する。
【００２６】
そして、制御装置２００は、フィルタ１８の再生要求があると判定するまで、Ｓ１００の処理を繰り返し実行する。
Ｓ１００にて、制御装置２００は、フィルタ１８の再生要求があると判定する場合（Ｓ１００：ＹＥＳ）、現在算出されている最新のベーパ濃度Ｌｐが規定の判定値Ａ以下であるか否かを判定する（Ｓ１１０）。この判定値Ａは、ベーパ濃度Ｌｐがこの判定値Ａ以下であることに基づき、この後、パージ処理の実行をしばらく停止することによってキャニスタ９２では燃料蒸気の吸着量が増大するとしても、ベーパ濃度Ｌｐが過剰に高い濃度とならない程度に現在のベーパ濃度Ｌｐは低いことを適切に判定できるように、その値の大きさが設定されている。
【００２７】
そして、ベーパ濃度Ｌｐが判定値Ａを超えていると判定する場合（Ｓ１１０：ＮＯ）、制御装置２００は、ベーパ濃度Ｌｐを低下させるためにパージ処理を実行して（Ｓ１２０）、吸気通路１３に燃料蒸気を導入する。そして、再びＳ１１０の判定処理を行う。
【００２８】
Ｓ１１０にて、制御装置２００は、ベーパ濃度Ｌｐが判定値Ａ以下であると判定する場合（Ｓ１１０：ＹＥＳ）、Ｓ１２０にて実行を開始したパージ処理を停止して（Ｓ１３０）、吸気通路１３への燃料蒸気の導入を中止する。そして、パージ停止カウンタＰＳＣをリセットした後、同パージ停止カウンタＰＳＣの計測を開始する（Ｓ１４０）。このパージ停止カウンタＰＳＣは、フィルタ１８の再生要求があるときにパージ処理を停止していた時間を計測する値であり、パージ処理の実行中はリセットされる。また、ＰＭ堆積量Ｐｓが後述の判定値Ｃ以下となってフィルタ１８の再生が完了することにより、フィルタ１８の再生要求がなくなると、パージ停止カウンタＰＳＣの値はリセットされる。
【００２９】
次に、制御装置２００は、再生制御を開始する（Ｓ１５０）。
次に、制御装置２００は、現在のパージ停止カウンタＰＳＣが規定の判定値Ｂ以上であるか否かを判定する（Ｓ１６０）。この判定値Ｂには、次のような値に設定されている。すなわち、図２に示す本処理を実行すると、再生制御の実行中にはパージ処理が停止されるため、再生制御中は、キャニスタ９２に吸着されている燃料蒸気の量は増大していく。そこで、パージ停止カウンタＰＳＣが判定値Ｂ以上であることに基づき、再生制御の実行中においてキャニスタ９２に吸着されている燃料蒸気の量は規定量Ｄ以上の状態となっていることを的確に判定できるように、判定値Ｂの値の大きさは設定されている。なお、上記規定量Ｄとしては、例えば燃料タンク９１への給油が最大限に行われた場合でも、キャニスタ９２の吸着能力を保証することが可能な燃料蒸気の吸着量の最大値よりもやや少ない量などを設定することができる。
【００３０】
そして、パージ停止カウンタＰＳＣが判定値Ｂ以上であると判定する場合（Ｓ１６０：ＹＥＳ）、制御装置２００は、現在実行している再生制御を一時停止することにより、再生制御を中断する（Ｓ１８０）。こうして再生制御を一時停止すると、制御装置２００は、Ｓ１２０の処理に戻ってパージ処理を開始した後、Ｓ１１０にてベーパ濃度Ｌｐが判定値Ａ以下であると判定するまで、パージ処理を実行する。そして、パージ処理を開始した後、Ｓ１１０にてベーパ濃度Ｌｐが判定値Ａ以下であると判定する場合（Ｓ１１０：ＹＥＳ）、制御装置２００は、上述したＳ１３０以降の処理を再び実行する。
【００３１】
上記Ｓ１６０にて、パージ停止カウンタＰＳＣが判定値Ｂ未満であると判定する場合（Ｓ１６０：ＮＯ）、制御装置２００は、再生制御中のＰＭ堆積量Ｐｓが規定の判定値Ｃ以下になったか否かを判定する（Ｓ１７０）。この判定値Ｃは、ＰＭ堆積量Ｐｓがこの判定値Ｃ以下であることに基づき、フィルタ１８に堆積している粒子状物質の量は再生制御を終了してもよい程度にまで低下しており、フィルタ１８の再生が完了したことを適切に判定できるように、その値の大きさが設定されている。
【００３２】
そして、ＰＭ堆積量Ｐｓが判定値Ｃを超えていると判定する場合（Ｓ１７０：ＮＯ）、制御装置２００は、Ｓ１６０の判定処理及びＳ１７０の判定処理を再び実行する。
Ｓ１７０にて、ＰＭ堆積量Ｐｓが判定値Ｃ以下であると判定する場合（Ｓ１７０：ＹＥＳ）、制御装置２００は、再生制御を終了して（Ｓ１９０）、本処理を終了する。
【００３３】
図３を参照して、本実施形態の作用を説明する。なお、図３に示すベーパ濃度は、パージ処理を実行しているときには実際のベーパ濃度を示し、パージ処理を停止しているときにはパージ処理を行ったと仮定したときのパージガスのベーパ濃度を示している。つまり、図３に示すベーパ濃度の増減は、キャニスタ９２に吸着されている燃料蒸気の量である吸着量ＡＤの増減と一致するものである。
【００３４】
時刻ｔ１にて再生要求が生じた時点において、ベーパ濃度Ｌｐが判定値Ａを超えている場合には、パージ処理が実行されることにより、キャニスタ９２に吸着されている燃料蒸気の量である吸着量ＡＤが減少していき、ベーパ濃度Ｌｐも低下していく。そして、時刻ｔ２においてベーパ濃度Ｌｐが判定値Ａ以下になると、パージ処理は停止されて、再生制御が開始される。
【００３５】
そして、パージ処理の停止により、時刻ｔ２以降は、キャニスタ９２に吸着されている燃料蒸気の量である吸着量ＡＤが増加していくとともに、パージ停止カウンタＰＳＣの値も増加していく。
【００３６】
そして、時刻ｔ３においてパージ停止カウンタＰＳＣの値が判定値Ｂ以上になると、再生制御が中断されてパージ処理が実行されることにより、上記吸着量ＡＤは減少していく。そして、時刻ｔ４においてベーパ濃度Ｌｐが判定値Ａ以下になると、パージ処理は停止されて、再生制御が再開される。
【００３７】
そして、時刻ｔ５において、パージ停止カウンタＰＳＣの値が判定値Ｂ以上になる前にＰＭ堆積量Ｐｓが判定値Ｃ以下になると、フィルタ１８の再生要求が無くなり、再生制御は終了される。
【００３８】
なお、図３に示す例では、時刻ｔ３〜時刻ｔ４の期間において再生制御の実行を中断してパージ処理を実行する処理が行われており、そうした処理を実行する回数が再生要求のある期間内（時刻ｔ１〜時刻ｔ５）において１回となっている。しかし、これは一例であり、本実施形態では、図２に示した一連の処理を実行することにより、再生要求のある状況下において、パージ停止カウンタＰＳＣの値が判定値Ｂ以上になるたびに再生制御の実行を中断してパージ処理を実行する処理が繰り返し実行される。つまり、再生要求がある間は、キャニスタ９２に吸着されている燃料蒸気の量が規定量Ｄ以上の状態であると判定されるたびに、再生制御の実行を中断してパージ処理を実行する処理が繰り返し実行される。従って、例えば再生要求のある状態が長期間に渡って維持されており、フィルタ１８の再生が長期間に渡る場合でも、再生制御を中断してパージ処理を実行する処理が定期的に実施される。
【００３９】
本実施形態の効果について説明する。
（１）再生制御の実行中に、パージ停止カウンタＰＳＣの値が判定値Ｂ以上になることにより、キャニスタ９２に吸着されている燃料蒸気の量が規定量Ｄ以上の状態であると判定される場合には、再生制御の実行を中断してパージ処理が実行される。そのため、再生制御の実行中にキャニスタ９２に吸着されている燃料蒸気の量が過剰に多くなることを抑えることができる。
【００４０】
（２）また、再生制御の実行を中断してパージ処理を実行するようにしているため、再生要求がある状況下でもベーパ濃度Ｌｐを算出することが可能になり、パージ処理実行中のベーパ濃度を管理することができる。従って、例えばパージ処理の実行中にはできるだけ多くの燃料蒸気をキャニスタ９２から吸気通路１３に導入することも可能になり、これによっても再生制御の実行中にキャニスタ９２に吸着されている燃料蒸気の量が過剰に多くなることを抑えることができる。
【００４１】
（３）また、キャニスタ９２に吸着されている燃料蒸気の量が規定量Ｄ以上の状態であると判定されるまでは再生制御が実行される。そのため、キャニスタ９２に吸着されている燃料蒸気の量が規定量Ｄ以上の状態になる前に再生制御を中断する場合と比較して、再生が完了するまでに再生制御の実行が中断される回数は少なくなる。従って、フィルタ１８の再生が完了するまでの時間を短縮することができる。
【００４２】
（４）再生制御を開始する前にベーパ濃度Ｌｐが判定値Ａを超えている場合には、パージ処理を実行してベーパ濃度Ｌｐを低下させてから再生制御が実行される。このように再生制御を実行する際には、前もってベーパ濃度Ｌｐを低下させるようにしているため、これによっても、再生制御の実行中にパージ処理を停止しても、再生制御の実行中にキャニスタ９２に吸着されている燃料蒸気の量が過剰に多くなることを抑えることができる。
【００４３】
本実施形態は、以下のように変更して実施することができる。本実施形態及び以下の変更例は、技術的に矛盾しない範囲で互いに組み合わせて実施することができる。
・昇温制御としてディザ制御を行うようにしたが、他の昇温制御を行ってもよい。そうした他の昇温制御としては、例えば燃料噴射弁から噴射した燃料を気筒内で燃焼させずに空気とともに排気通路に導入する燃料導入制御や、点火時期の遅角補正制御などが挙げられる。
【００４４】
・パージ処理の実行中にベーパ濃度Ｌｐを算出して、パージバルブ９３の開度を調整するようにした。この他、簡易的には、ベーパ濃度Ｌｐの算出を省略して、パージバルブ９３が予め定めた一定の開度となるように調整してもよい。この場合でも上記（２）以外の作用効果を得ることができる。
【００４５】
・再生制御の実行中においてキャニスタ９２に吸着されている燃料蒸気の量が規定量Ｄ以上の状態であると判定するために、パージ停止カウンタＰＳＣの値と判定値Ｂとの比較を行うようにしたが、この他の態様にて、キャニスタ９２に吸着されている燃料蒸気の量が規定量Ｄ以上の状態であることを判定してもよい。
【符号の説明】
【００４６】
１０…内燃機関、１０ａ…気筒、１１…燃料噴射弁、１３…吸気通路、１４…スロットル弁、１５…排気通路、１７…三元触媒、１８…フィルタ、５０…圧力センサ、５１…空燃比センサ、５２…酸素センサ、５３…クランク角センサ、５４…エアフロメータ、９０…燃料蒸気処理機構、９１…燃料タンク、９２…キャニスタ、９３…パージバルブ、９４…パージ通路、２００…制御装置。
【図１】
2020128704.tif 000003
【図２】
2020128704.tif 000004
【図３】
2020128704.tif 000005